(57)【要約】【課題】所望の画像ファイルの速やかな探索を可能ならしめるサムネイルソート装置及びこれを有する撮像装置を提供する。【解決手段】画像ファイルの過去の再生回数、画像ファイルの最終再生日時、或いは、画像ファイルを作成位置（地図上の位置）に基づいて、対応するサムネイル画像の表示順序をソートする。サムネイル画像を一覧表示する際、例えば、再生回数が多い順に、最終再生日時が新しい順に、或いは、作成位置が現在位置に近い順に、サムネイル画像の表示順序をソートする。【選択図】図９
2007266664.tif 000002
【特許請求の範囲】
【請求項１】
撮像手段からの被写体に応じた撮像信号に基づいて、撮影によって得られた画像ファイルごとに、サムネイル画像を生成するサムネイル画像生成手段と、
各画像ファイルの過去の再生に関する情報及び各画像ファイルの作成位置の少なくとも一方に基づいて、再生手段における前記サムネイル画像の表示順序を定めるソート手段と、を備えたことを特徴とするサムネイルソート装置。
【請求項２】
各画像ファイルの過去の再生に関する情報は、前記再生手段における各画像ファイルの過去の再生回数によって表され、
前記ソート手段は、各画像ファイルに対応する前記再生回数に基づいて、前記表示順序を定めることを特徴とする請求項１に記載のサムネイルソート装置。
【請求項３】
前記ソート手段は、前記再生回数が比較的多い画像ファイルに対応するサムネイル画像の表示順位を、前記再生回数が比較的少ない画像ファイルに対応するそれよりも高くする
ことを特徴とする請求項２に記載のサムネイルソート装置。
【請求項４】
各画像ファイルの過去の再生に関する情報は、前記再生手段における各画像ファイルの最終再生日時によって表され、
前記ソート手段は、各画像ファイルに対応する前記最終再生日時に基づいて、前記表示順序を定めることを特徴とする請求項１に記載のサムネイルソート装置。
【請求項５】
前記ソート手段は、現在日時と前記最終再生日時との差が比較的小さい画像ファイルに対応するサムネイル画像の表示順位を、その差が比較的大きい画像ファイルに対応するそれよりも高くすることを特徴とする請求項４に記載のサムネイルソート装置。
【請求項６】
前記ソート手段は、各画像ファイルに対応する前記作成位置に基づいて前記表示順序を定め、現在位置と前記作成位置との差が比較的小さい画像ファイルに対応するサムネイル画像の表示順位を、その差が比較的大きい画像ファイルに対応するそれよりも高くすることを特徴とする請求項１に記載のサムネイルソート装置。
【請求項７】
請求項１〜請求項６の何れかに記載の、撮像手段、再生手段及びサムネイルソート装置を備えたことを特徴とする撮像装置。
【請求項８】
請求項７に記載の撮像装置を備えたことを特徴とする移動体通信機器。
【発明の詳細な説明】
【技術分野】
【０００１】
本発明は、生成された複数のサムネイル画像の表示順序をソートするサムネイルソート装置に関する。また、本発明は、そのサムネイルソート装置を備えた、デジタルスチルカメラやデジタルビデオカメラ等の撮像装置に関する。
【背景技術】
【０００２】
デジタルスチルカメラやデジタルビデオカメラ等の撮像装置には、サムネイル画像を表示するモードが設けられていることが多い。サムネイル画像は、通常、撮影した画像の縮小画像（動画においては、動画の先頭画像等の縮小画像）となっている。ユーザは、撮像装置に備えられた表示装置の表示画面上に一覧表示されたサムネイル画像を参照して、撮影した複数の静止画または動画の中から再生しようとする静止画または動画を選び出す。
【０００３】
撮像装置に設けられた記録媒体は、静止画または動画を格納した多数の画像ファイルを記録することができる。多数の画像ファイルに対応して作成される多数のサムネイル画像は、通常、画像ファイルの作成日時を基準としてソートされ、時系列に沿った順序で表示されることが多い。
【０００４】
一方において、撮像装置に備えられている表示装置の表示画面サイズは比較的小さいことが多く、一度に表示できるサムネイル画像の枚数は数枚程度に限られる。このため、ユーザは、再生を望む画像ファイルを見つけ出すために、サムネイル画像の一覧表示画面を何度も切り替える必要があった。
【０００５】
尚、下記特許文献１には、基本的なサムネイル以外に、位置情報に基づく地図サムネイルや天候情報に基づく天候サムネイルを用意する手法が開示されている。
【０００６】
【特許文献１】特開２００５−１７６１１８号公報
【発明の開示】
【発明が解決しようとする課題】
【０００７】
上述の如く、従来の撮像装置では、所望の画像ファイルを探索するためにサムネイル画像の一覧表示画面を何度も切り替える必要があり、所望の画像ファイルを速やかに見つけ出すことが困難であった。
【０００８】
また、上記特許文献１の手法を用いた場合でも、地図サムネイル等を参照して最終的に所望の画像ファイルを再生するまでに画面切り替えを複数回行う必要があり、その探索補助効果は不十分である。
【０００９】
そこで本発明は、所望の画像ファイルの速やかな探索を可能ならしめるサムネイルソート装置及びこれを有する撮像装置を提供することを目的とする。
【課題を解決するための手段】
【００１０】
上記の目的を達成するために本発明に係るサムネイルソート装置は、撮像手段からの被写体に応じた撮像信号に基づいて、撮影によって得られた画像ファイルごとに、サムネイル画像を生成するサムネイル画像生成手段と、各画像ファイルの過去の再生に関する情報及び各画像ファイルの作成位置の少なくとも一方に基づいて、再生手段における前記サムネイル画像の表示順序を定めるソート手段と、を備えたことを特徴とする。
【００１１】
画像ファイルが多数あったとしても、ユーザが再生を望む画像ファイルは、通常、一部の画像ファイルに限られる。ユーザが、どの種の画像ファイルの再生を望んでいるかは、各画像ファイルの過去の再生状況や各画像ファイルの作成された位置（作成位置）を参照すれば推測可能である。この推測結果に基づいて、サムネイル画像の表示順序を定めるようにすれば、所望の画像ファイルを素早く見つけ出すことが可能となる。
【００１２】
具体的には例えば、各画像ファイルの過去の再生に関する情報は、前記再生手段における各画像ファイルの過去の再生回数によって表され、前記ソート手段は、各画像ファイルに対応する前記再生回数に基づいて、前記表示順序を定める。
【００１３】
そして例えば、前記ソート手段は、前記再生回数が比較的多い画像ファイルに対応するサムネイル画像の表示順位を、前記再生回数が比較的少ない画像ファイルに対応するそれよりも高くする。
【００１４】
また具体的には例えば、各画像ファイルの過去の再生に関する情報は、前記再生手段における各画像ファイルの最終再生日時によって表され、前記ソート手段は、各画像ファイルに対応する前記最終再生日時に基づいて、前記表示順序を定める。
【００１５】
そして例えば、前記ソート手段は、現在日時と前記最終再生日時との差が比較的小さい画像ファイルに対応するサムネイル画像の表示順位を、その差が比較的大きい画像ファイルに対応するそれよりも高くする。
【００１６】
また具体的には例えば、前記ソート手段は、各画像ファイルに対応する前記作成位置に基づいて前記表示順序を定め、現在位置と前記作成位置との差が比較的小さい画像ファイルに対応するサムネイル画像の表示順位を、その差が比較的大きい画像ファイルに対応するそれよりも高くする。
【００１７】
また、上記の目的を達成するために、撮像装置に、前記撮像手段、前記再生手段及び前記サムネイルソート装置を設ければよい。
【００１８】
また、移動体通信機器に前記撮像装置を備えるようにしてもよい。
【発明の効果】
【００１９】
上述した通り、本発明によれば、所望の画像ファイルを素早く見つけ出すことが可能となる。場合によっては、表示画面の切り替えを全く行うことなく直ちに所望の画像ファイルを見つけ出すことができ、ユーザにとって利便性が高い。
【発明を実施するための最良の形態】
【００２０】
以下、本発明の実施の形態につき、図面を参照して具体的に説明する。参照される各図において、同一の部分には同一の符号を付す。
【００２１】
後に、第１、第２及び第３実施例を説明するが、まず、それらの全てに共通する内容を、各図を参照して説明する。
【００２２】
図１は、本発明の実施の形態に係る撮像装置１の全体ブロック図である。撮像装置１は、例えば、デジタルスチルカメラやデジタルビデオカメラである。撮像装置１は、動画及び静止画を撮影可能となっていると共に、動画撮影中に静止画を同時に撮影することも可能となっている。
【００２３】
撮像装置１は、撮像部１１と、ＡＦＥ（Analog Front End）１２と、映像信号処理部１３と、マイク１４と、音声信号処理部１５と、圧縮処理部１６と、内部メモリの一例としてのＳＤＲＡＭ（Synchronous Dynamic Random Access Memory）１７と、メモリカード１８と、伸張処理部１９と、映像出力回路（ビデオ出力回路）２０と、音声出力回路２１と、ＴＧ（タイミングジェネレータ）２２と、ＣＰＵ（Central Processing Unit）２３と、バス２４と、バス２５と、操作部２６と、表示部（再生手段）２７と、スピーカ２８と、を備えている。操作部２６は、録画ボタン２６ａ、シャッタボタン２６ｂ及び操作キー２６ｃ等を有している。
【００２４】
バス２４には、撮像部１１、ＡＦＥ１２、映像信号処理部１３、音声信号処理部１５、圧縮処理部１６、伸張処理部１９、映像出力回路２０、音声出力回路２１及びＣＰＵ２３が接続されている。バス２４に接続された各部位は、バス２４を介して、各種の信号（データ）のやり取りを行う。
【００２５】
バス２５には、映像信号処理部１３、音声信号処理部１５、圧縮処理部１６、伸張処理部１９及びＳＤＲＡＭ１７に接続されている。バス２５に接続された各部位は、バス２５を介して、各種の信号（データ）のやり取りを行う。
【００２６】
ＴＧ２２は、撮像装置１全体における各動作のタイミングを制御するためのタイミング制御信号を生成し、生成したタイミング制御信号を撮像装置１内の各部に与える。具体的には、タイミング制御信号は、撮像部１１、映像信号処理部１３、音声信号処理部１５、圧縮処理部１６、伸張処理部１９及びＣＰＵ２３に与えられる。タイミング制御信号は、垂直同期信号Ｖｓｙｎｃと水平同期信号Ｈｓｙｎｃを含む。
【００２７】
ＣＰＵ２３は、撮像装置１内の各部の動作を統括的に制御する。操作部２６は、ユーザによる操作を受け付ける。操作部２６に与えられた操作内容は、ＣＰＵ２３に伝達される。ＳＤＲＡＭ１７は、フレームメモリとして機能する。撮像装置１内の各部は、必要に応じて、信号処理時に一時的に各種のデータ（デジタル信号）をＳＤＲＡＭ１７に記録する。
【００２８】
メモリカード１８は、外部記録媒体であり、例えば、ＳＤ（Secure Digital）メモリカードである。メモリカード１８は、撮像装置１に対して着脱自在となっている。メモリカード１８の記録内容は、メモリカード１８の端子を介して又は撮像装置１に設けられた通信用コネクタ部（不図示）を介して、外部のパーソナルコンピュータ等によって自在に読み出し可能である。尚、本実施形態では外部記録媒体としてメモリカード１８を例示しているが、外部記録媒体を、１または複数のランダムアクセス可能な記録媒体（半導体メモリ、メモリカード、光ディスク、磁気ディスク等）で構成することができる。
【００２９】
図２は、図１の撮像部１１の内部構成図である。撮像部１１は、ズームレンズ３０及びフォーカスレンズ３１を含む複数枚のレンズを備えて構成される光学系３５と、絞り３２と、撮像素子３３と、ドライバ３４を有している。ドライバ３４は、ズームレンズ３０及びフォーカスレンズ３１の移動並びに絞り１２の開口量の調節を実現するためのモータ等から構成される。
【００３０】
被写体（撮像対象）からの入射光は、光学系３５を構成するズームレンズ３０及びフォーカスレンズ３１、並びに、絞り３２を介して撮像素子３３に入射する。ＴＧ２２は、上記タイミング制御信号に同期した、撮像素子３３を駆動するための駆動パルスを生成し、該駆動パルスを撮像素子３３に与える。
【００３１】
撮像素子３３は、例えばＣＣＤ（Charge Coupled Devices）やＣＭＯＳ（Complementary Metal Oxide Semiconductor）イメージセンサ等からなる。撮像素子３３は、光学系３５及び絞り３２を介して入射した光学像を光電変換し、該光電変換によって得られた電気信号をＡＦＥ１２に出力する。より具体的には、撮像素子３３は、マトリクス状に二次元配列された複数の画素（受光画素；不図示）を備え、各撮影において、各画素は露光時間に応じた電荷量の信号電荷を蓄える。蓄えた信号電荷の電荷量に比例した大きさを有する各画素からの電気信号は、ＴＧ２２からの駆動パルスに従って、後段のＡＦＥ１２に順次出力される。
【００３２】
撮像素子３３は、カラー撮影の可能な、単板式の撮像素子となっている。撮像素子３３を構成する各画素には、例えば、赤（Ｒ）、緑（Ｇ）及び青（Ｂ）の何れかのカラーフィルタ（不図示）が設けられている。尚、撮像素子３３として、３板式の撮像素子を採用することも可能である。
【００３３】
ＡＦＥ１２は、撮像部１１の出力信号（即ち、撮像素子３３の出力信号）であるアナログの上記電気信号を増幅する増幅回路（不図示）と、増幅された電気信号をデジタル信号に変換するＡ／Ｄ（アナログ−デジタル）変換回路（不図示）と、を備える。ＡＦＥ１２によってデジタル信号に変換された撮像部１１の出力信号は、順次、映像信号処理部１３に送られる。また、ＣＰＵ２３は、撮像部１１の出力信号の信号レベルに基づいて上記増幅回路の増幅度を調整する。
【００３４】
以下、撮像部１１またはＡＦＥ１２から出力される、被写体に応じた信号を、撮像信号と呼ぶ。
【００３５】
図３は、映像信号処理部１３の内部ブロック図である。映像信号処理部１３は、動画／静止画処理部４１と、サムネイル生成部（サムネイル画像生成手段）４２と、を備える。
【００３６】
動画／静止画処理部４１は、ＡＦＥ１２からの撮像信号に基づいて、撮像部１１の撮影によって得られる映像（撮影画像）を表す映像信号を生成し、生成した映像信号を圧縮処理部１６に送る。映像信号は、撮影画像の輝度を表す輝度信号Ｙと、撮影画像の色を表す色差信号Ｕ及びＶと、から構成される。動画／静止画処理部４１は、動画の映像信号の生成と静止画の映像信号の生成の双方を行う。
【００３７】
マイク１４は、外部から与えられた音声（音）を、アナログの電気信号に変換して出力する。音声信号処理部１５は、マイク１４から出力される電気信号（音声アナログ信号）をデジタル信号に変換する。この変換によって得られたデジタル信号は、マイク１４に対して入力された音声を表す音声信号として圧縮処理部１６に送られる。
【００３８】
圧縮処理部１６は、映像信号処理部１３（動画／静止画処理部４１）からの映像信号を、所定の圧縮方式を用いて圧縮する。動画に対しては、例えば、ＭＰＥＧ（Moving Picture Experts Group）等の圧縮方式を用いて映像信号の圧縮を行い、静止画に対しては、例えば、ＪＰＥＧ（Joint Photographic Experts Group）等の圧縮方式を用いて映像信号の圧縮を行う。動画または静止画撮影時において、圧縮された映像信号はメモリカード１８に送られる。
【００３９】
尚、例えば、動画を構成する各撮影画像の画像サイズは、動画／静止画処理部４１等において、必要に応じ、間引き処理等を介して縮小されている。静止画に対しては、例えば、そのような縮小処理は施されない（施してもよい）。
【００４０】
また、圧縮処理部１６は、音声信号処理部１５からの音声信号を、ＡＡＣ（Advanced Audio Coding）等の所定の圧縮方式を用いて圧縮する。動画撮影時において、映像信号処理部１３からの映像信号と音声信号処理部１５からの音声信号は、圧縮処理部１６にて、時間的に互いに関連付けられつつ圧縮され、圧縮後のそれらはメモリカード１８に送られる。
【００４１】
録画ボタン２６ａは、ユーザが動画（動画像）の撮影の開始及び終了を指示するための押しボタンスイッチであり、シャッタボタン２６ｂは、ユーザが静止画（静止画像）の撮影を指示するための押しボタンスイッチである。録画ボタン２６ａに対する操作に従って動画撮影の開始及び終了が実施され、シャッタボタン２６ｂに対する操作に従って静止画撮影が実施される。１つのフレームにて１つのフレーム画像が得られる。各フレームの長さは、例えば１／６０秒である。この場合、１／６０秒の周期にて順次取得されるフレーム画像の集まり（ストリーム画像）が、動画を構成する。
【００４２】
撮像装置１の動作モードには、動画及び静止画の撮影が可能な撮影モードと、メモリカード１８に格納された動画または静止画を表示部２７に再生表示する再生モードと、メモリカード１８に格納された動画または静止画に関連付けられたサムネイル画像を表示部２７に一覧表示するサムネイル画像表示モードと、が含まれる。操作キー２６ｃに対する操作に応じて、各モード間の遷移は実施される。
【００４３】
撮影モードにおいて、ユーザが録画ボタン２６ａを押下すると、ＣＰＵ２３の制御の下、その押下後の各フレームの映像信号及びそれに対応する音声信号が、順次、圧縮処理部１６を介してメモリカード１８に記録される。つまり、音声信号と共に、各フレームの撮影画像（即ちフレーム画像）が順次メモリカード１８に格納される。動画撮影の開始後、再度ユーザが録画ボタン２６ａを押下すると、動画撮影は終了する。つまり、映像信号及び音声信号のメモリカード１８への記録は終了し、１つの動画の撮影は完了する。
【００４４】
また、撮影モードにおいて、ユーザがシャッタボタン２６ｂを押下すると、静止画の撮影が行われる。具体的には、ＣＰＵ２３の制御の下、その押下直後の１つのフレームの映像信号が、静止画を表す映像信号として、圧縮処理部１６を介してメモリカード１８に記録される。動画の撮影中に静止画を同時撮影することも可能であり、この場合、同一のフレームの撮像信号に基づいて、動画に関する信号処理と静止画に関する信号処理が並行して行われる。尚、共通の回路を時分割で利用して、動画に関する信号処理と静止画に関する信号処理を別個のタイミングで行うようにしてもよい。例えば、静止画に関する信号処理を動画撮影終了後に行う。この場合、例えば、事後的に行うその信号処理に必要な撮像信号（撮影画像）をＳＤＲＡＭ１７に一時記憶させておけばよい。
【００４５】
再生モードにおいて、ユーザが操作キー２６ｃに所定の操作を施すと、メモリカード１８に記録された動画または静止画を表す圧縮された映像信号は、伸張処理部１９に送られる。伸張処理部１９は、受け取った映像信号を伸張して映像出力回路２０に送る。また、撮影モードにおいては、通常、動画または静止画を撮影しているか否かに拘らず、映像信号処理１３による映像信号の生成が逐次行われており、その映像信号は映像出力回路２０に送られる。
【００４６】
映像出力回路２０は、与えられたデジタルの映像信号を表示部２７で表示可能な形式の映像信号（例えば、アナログの映像信号）に変換して出力する。表示部２７は、液晶ディスプレイなどの表示装置であり、映像出力回路２０から出力された映像信号に応じた画像を表示する。即ち、表示部２７は、撮像部１１から現在出力されている撮像信号に基づく画像（現在の被写体を表す画像）、または、メモリカード１８に記録されている動画（動画像）若しくは静止画（静止画像）を、表示する。
【００４７】
また、再生モードにおいて動画を再生する際、メモリカード１８に記録された動画に対応する圧縮された音声信号も、伸張処理部１９に送られる。伸張処理部１９は、受け取った音声信号を伸張して音声出力回路２１に送る。音声出力回路２１は、与えられたデジタルの音声信号をスピーカ２８にて出力可能な形式の音声信号（例えば、アナログの音声信号）に変換してスピーカ２８に出力する。スピーカ２８は、音声出力回路２１からの音声信号を音声（音）として外部に出力する。
【００４８】
尚、外部のテレビジョン等に表示部２７及びスピーカ２８が備えられていると考えることもできる。この場合、映像出力回路２０の出力する映像信号及び音声出力回路２１の出力する音声信号は、図示されないコネクタを介して外部のテレビジョン等に供給される。
【００４９】
また、映像信号処理部１３は、撮影画像中のフォーカス検出領域内のコントラスト量に応じたＡＦ評価値を検出するＡＦ評価値検出回路、撮影画像の明るさに応じたＡＥ評価値を検出するＡＥ評価値検出回路、画像の動きを検出する動き検出回路などを含む。ＣＰＵ２３は、ＡＦ評価値に応じ、図２のドライバ３４を介してフォーカスレンズ３１の位置を調節することにより、被写体の光学像を撮像素子３３の撮像面（受光面）に結像させる。また、ＣＰＵ２３は、ＡＥ評価値に応じ、図２のドライバ３４を介して絞り３２の開口量（及びＡＦＥ１２の増幅回路の増幅度）を調節することにより、受光量（画像の明るさ）を制御する。
【００５０】
図３のサムネイル生成部４２は、静止画を撮影する際、ＣＰＵ２３の制御の下、静止画の撮影タイミングにおける撮像信号に基づいて静止画についてのサムネイル画像を生成する。このサムネイル画像は、撮影及び記録された１枚の静止画（静止画像）を、間引き処理等によって縮小した縮小画像である。静止画についてのサムネイル画像は、撮影した静止画に関連付けられつつ圧縮処理部１６による圧縮（ＪＰＥＧなど）を介してメモリカード１８に記録される。撮影した静止画と関連付けられた上記サムネイル画像を、以下、特に、静止画用サムネイル画像と呼ぶ場合がある。
【００５１】
また、サムネイル生成部４２は、動画を撮影する際、ＣＰＵ２３の制御の下、所定タイミングにおける撮像信号に基づいて動画についてのサムネイル画像を生成する。このサムネイル画像は、例えば、動画撮影中の何れかのフレームの画像（１フレーム分の画像）を、間引き処理等によって縮小した縮小画像である。動画についてのサムネイル画像は、撮影した動画に関連付けられつつ圧縮処理部１６による圧縮（ＪＰＥＧなど）を介してメモリカード１８に記録される。撮影した動画に関連付けて記録するために生成された上記サムネイル画像を、以下、特に、動画用サムネイル画像と呼ぶ場合がある。尚、動画の画像サイズが比較的小さい場合などにおいては、撮影された動画を構成する１枚の画像そのものを、動画用サムネイル画像としても構わない。
【００５２】
また、動画用サムネイル画像が実際に生成されるタイミングは任意である。動画撮影中にＡＦＥ１２からの撮像信号を受けて動画用サムネイル画像を生成するようにしても良いし、動画撮影時に動画用サムネイル画像の基となる画像を選んでおき、後から（例えば、表示部２７に表示する際に）その画像を用いて動画用サムネイル画像を生成するようにしてもよい。いずれにしても、同一の動画用サムネイル画像の生成の基となる撮像信号は同じである。同様に、静止画用サムネイル画像が実際に生成されるタイミングも任意である。
【００５３】
図４に、メモリカード１８に記録されるファイルを模式的に示す。撮影によって得られる動画または静止画を表す撮影画像データ（上述の、圧縮処理部１６からの圧縮された映像信号に相当）は、本体ファイルに格納された上でメモリカード１８に記録される。１つの本体ファイルには、１つの静止画または１つの動画を表す撮像画像データが格納される。尚、動画に対応する本体ファイルには、圧縮処理部１６からの圧縮された音声信号も格納される。
【００５４】
本体ファイルの夫々に対して、１つのサムネイルファイルが互いに関連付けられつつメモリカード１８に記録されている。各サムネイルファイルには、静止画用又は動画用サムネイル画像を表すサムネイル画像データが格納されていると共に、ヘッダ領域が設けられている。
【００５５】
図５は、サムネイル画像表示モードにおける、表示部２７の全体の表示画面７０の領域分割状態を示している。まず、全体の表示画面７０は、左右方向に２分割され、比較的小さな領域である右側の分割領域にスクロールバー７１が表示される。一方、左側の分割領域は更に６分割される（左右方向に３分割、上下方向に２分割）。６分割によって得られた６つの領域の内の、上部左端の領域、上部中央の領域、上部右端の領域、下部左端の領域、下部中央の領域、下部右端の領域を、それぞれ、領域ＡＲ１、ＡＲ２、ＡＲ３、ＡＲ４、ＡＲ５、ＡＲ６と呼ぶ。
【００５６】
今、図６に示す如く、メモリカード１８に、合計１２個のサムネイルファイルＦ１、Ｆ２、Ｆ３、Ｆ４、Ｆ５、Ｆ６、Ｆ７、Ｆ８、Ｆ９、Ｆ１０、Ｆ１１及びＦｌ２が記録されている場合を考える。サムネイルファイルＦ１、Ｆ２、Ｆ３、Ｆ４、Ｆ５、Ｆ６、Ｆ７、Ｆ８、Ｆ９、Ｆ１０、Ｆ１１及びＦ１２に格納されているサムネイル画像データによって表されるサムネイル画像を、夫々、ＴＮ１、ＴＮ２、ＴＮ３、ＴＮ４、ＴＮ５、ＴＮ６、ＴＮ７、ＴＮ８、ＴＮ９、ＴＮ１０、ＴＮ１１及びＴＮｌ２と表記することにする。
【００５７】
他の動作モード（例えば撮影モード）からサムネイル画像表示モードに移行した際、ＣＰＵ２３は各サムネイルファイルのヘッダ領域のデータを参照して、サムネイルファイルのソートを実行する。換言すれば、１２個のサムネイル画像の表示順序のソートを実行する。これにより、１２個のサムネイル画像の表示順序が定められ、これに従ってサムネイル画像が表示部２７に表示される。
【００５８】
「基準状態」として、サムネイルＴＮ１、ＴＮ２、ＴＮ３、ＴＮ４、ＴＮ５、ＴＮ６、ＴＮ７、ＴＮ８、ＴＮ９、ＴＮ１０、ＴＮ１１、ＴＮｌ２の順番で表示順序が定められた場合を考える（図６参照）。つまり、サムネイル画像ＴＮ１の表示順位が１番目、サムネイル画像ＴＮ２の表示順位が２番目、・・・、サムネイル画像ＴＮ１２の表示順位が１２番目の状態を、基準状態として考える。以下、特に記述しない限り、この基準状態下における動作を説明する。
【００５９】
表示順位を考える場合において、ｐ＜ｑ（ｐ及びｑは１〜１２の範囲内の整数）とした場合、ｐ番目はｑ番目よりも表示順位が高く、ｑ番目はｐ番目よりも表示順位が低い。
【００６０】
図７に、サムネイル画像表示モードにおける表示部２７の表示画面７０の表示例を示す。領域ＡＲ１〜ＡＲ６の夫々に、サムネイル画像ＴＮ１〜ＴＮｌ２の何れかが表示される。つまり、６枚のサムネイル画像が１つの画面内で同時に一覧表示される。高い表示順位を有するサムネイル画像から順に、領域ＡＲ１、ＡＲ２、ＡＲ３、ＡＲ４、ＡＲ５、ＡＲ６に表示される。
【００６１】
従って、他の動作モード（例えば撮影モード）からサムネイル画像表示モードに移行して何ら操作を加えていない状態では、まず、サムネイル画像ＴＮ１が領域ＡＲ１に、サムネイル画像ＴＮ２が領域ＡＲ２に、サムネイル画像ＴＮ３が領域ＡＲ３に、サムネイル画像ＴＮ４が領域ＡＲ４に、サムネイル画像ＴＮ５が領域ＡＲ５に、サムネイル画像ＴＮ６が領域ＡＲ６に、表示される。
【００６２】
図７において、７２は表示画面７０上のカーソルである。カーソル７２は、操作キー２６ｃに対する操作により表示画面７０上を移動する。図７は、領域ＡＲ１に表示されたサムネイル画像がカーソル７２によって選択されている状態を示している。スクロールバー７１には、メモリカード１８に記録されているサムネイル画像の枚数に応じた表示がなされる。
【００６３】
カーソル７２によって或るサムネイル画像を選択している状態において、所定の再生開始操作を行うと、そのサムネイル画像に関連付けられた動画または静止画がメモリカード１８から読み出される。そして、読み出された動画または静止画が表示部２７の表示画面７０全体を使って再生（表示）される。例えば、領域ＡＲ１に表示されたサムネイル画像ＴＮ１に対応する動画または静止画が再生されるように再生開始操作を施した場合、表示部２７の表示画面７０は図７に示す状態から図８に示す状態に遷移し、サムネイル画像ＴＮ１に対応する動画または静止画が表示部２７の表示画面７０全体を使って再生（表示）される。この状態で、再生を終了するための再生終了操作を施すと、表示画面７０の表示状態は図７に示す一覧表示の状態に戻る。
【００６４】
図７の状態からカーソル７２を画面の下方向に移動させる操作を施すと、カーソル７２の位置は領域ＡＲ４に移動し、領域ＡＲ４に表示されたサムネイル画像がカーソル７２によって選択されている状態に移行する。更に、同一操作を施すと、各領域に表示されるサムネイル画像が切り替わる。この切り替わりによって、サムネイル画像ＴＮ７が領域ＡＲ１に、サムネイル画像ＴＮ８が領域ＡＲ２に、サムネイル画像ＴＮ９が領域ＡＲ３に、サムネイル画像ＴＮ１０が領域ＡＲ４に、サムネイル画像ＴＮ１１が領域ＡＲ５に、サムネイル画像ＴＮ１２が領域ＡＲ６に、表示されるようになる。更に他のサムネイル画像がある場合も同様である。
【００６５】
次に、サムネイル画像のソート手法について説明する。撮像装置１に採用可能なソート手法を例示する実施例として、以下に、第１、第２及び第３実施例を例示する。
【００６６】
＜＜第１実施例＞＞
まず、第１実施例について説明する。図９は、第１実施例に係る、サムネイル画像のソート動作に特に着目した撮像装置１の動作手順を表すフローチャートである。第１実施例では、本体ファイル（撮影画像データ）が過去に再生された回数に応じて、サムネイル画像がソートされる。
【００６７】
撮像装置１に設けられた電源スイッチ（不図示）に対する操作によって撮像装置１内の各部に対する電源が起動すると、ＴＧ２２は、垂直同期信号を所定の周期（例えば１／６０秒）にて逐次生成する。まず、ステップＳ１では、ＴＧ２２から垂直同期信号が出力されたかが確認される。垂直同期信号は、各フレームの開始時点でＴＧ２２から出力される。
【００６８】
垂直同期信号の出力が確認されていない場合は（ステップＳ１のＮｏ）ステップＳ１の処理が繰り返され、垂直同期信号の出力が確認された場合は（ステップＳ１のＹｅｓ）、ステップＳ２に移行する。ステップＳ２では、撮像装置１の動作モードがサムネイル画像表示モードであるか否かが判断され、動作モードがサムネイル画像表示モードである場合は（ステップＳ２のＹｅｓ）ステップＳ１０に移行する一方、そうでない場合は（ステップＳ２のＮｏ）ステップＳ３に移行する。
【００６９】
ステップＳ３では、動画または静止画の撮影がなされたかが確認される。動画または静止画の撮影が行われた場合は（ステップＳ３のＹｅｓ）ステップＳ４に移行する一方、そうでない場合は（ステップＳ３のＮｏ）ステップＳ１に戻る。
【００７０】
ステップＳ４では、本体ファイルが作成される。そして、撮影された動画または静止画を表す撮影画像データが、作成された本体ファイルに格納されつつメモリカード１８に記録される。
【００７１】
更に、ステップＳ４に続くステップＳ５にて、サムネイルファイルが生成されると共に撮影された動画または静止画に対応するサムネイル画像が生成される。そして、生成されたサムネイル画像を表すサムネイル画像データはサムネイルファイルに格納される。一方において、変数である再生回数カウンタＣｉを定義し、この再生回数カウンタＣｉにゼロを代入した上で再生回数カウンタＣｉの値をサムネイルファイルのヘッダ領域に格納する（添え字ｉについては後述）。ステップＳ５にて生成されたサムネイルファイルは、ステップＳ４で生成された本体ファイルに関連付けられつつメモリカード１８に記録される。
【００７２】
ステップＳ５の処理を終えるとステップＳ６にて、変数Ｎを１だけインクリメントし（変数Ｎに１を加え）、ステップＳ１に戻る。変数Ｎは、メモリカード１８に記録されているサムネイルファイル（または本体ファイル）の総数を表す。メモリカード１８にサムネイルファイルが全く記録されていない状態において、変数Ｎにはゼロが代入されている。
【００７３】
ステップＳ４、Ｓ５及びＳ６の処理は撮影が行われるごとに実施され、それらが１２回実行されて、上述のサムネイルファイルＦ１〜Ｆ１２が生成されたとする。この状態において、変数Ｎは１２となる。
【００７４】
再生回数カウンタＣｉにおける添え字「ｉ」は、メモリカード１８に記録されているサムネイルファイルごとに与えられる連続番号である。異なるサムネイルファイル間において、対応する添え字「ｉ」の値は異なる。例えば、図１０に示す如く、サムネイルファイルＦｉに再生回数カウンタＣｉが割り当てられる（ｉは、１〜１２の間の各整数をとる）。この場合、例えば、サムネイルファイルＦ１には再生回数カウンタＣ１が割り当てられることになる。
【００７５】
再生回数カウンタＣｉは、サムネイルファイルＦｉに対応する本体ファイルの再生回数（再生された回数）を表している。
【００７６】
ステップＳ２から移行するステップＳ１０において、ソート手段として機能するＣＰＵ２３は、各サムネイルファイルに対応する再生回数カウンタＣｉの値に従って、１２枚のサムネイル画像の表示順序をソートする。より具体的には、再生回数カウンタＣｉの値が大きい順にサムネイル画像をソートし、それらを表示部２７の表示画面７０上に表示させる。つまり、過去に再生された回数が比較的多い本体ファイルに対応するサムネイル画像の表示順位を、比較的少ないもののそれよりも高くする。
【００７７】
図６に示されるような基準状態においては、例えば、不等式：「Ｃ１＞Ｃ２＞Ｃ３＞Ｃ４＞Ｃ５＞Ｃ６＞Ｃ７＞Ｃ８＞Ｃ９＞Ｃ１０＞Ｃ１１＞Ｃ１２」が成立することになる。再生回数カウンタＣｉの値が同じサムネイル画像間の表示順序は、更に他の情報を参照して決定する。例えば、本体ファイル（またはサムネイルファイル）の作成日時に従って、決定する。
【００７８】
ステップＳ１０の処理を行うと、表示部２７の表示画面７０の表示状態は、図７に示すような一覧表示状態になり、ステップＳ１１に移行する。ステップＳ１１では、カーソル７２によって或るサムネイル画像が選択されている状態において、所定の再生開始操作が行われたかが判断される。再生開始操作があった場合は（ステップＳ１１のＹｅｓ）ステップＳ１２に移行する一方、再生開始操作がなかった場合は（ステップＳ１１のＮｏ）ステップＳ１０に戻る。
【００７９】
ステップＳ１２では、選択されていたサムネイル画像に対応する本体ファイル（即ち、再生が指示された本体ファイル）が読み込み専用モードで開かれ、開かれた本体ファイルの撮影画像データによって表される動画または静止画が、図８に示す如く、表示画面７０全体を使って再生（表示）される。
【００８０】
ステップＳ１２に続くステップＳ１３では、ステップＳ１２にて開かれた本体ファイルに対応するサムネイルファイルが読み書き可能モードで開かれ、ステップＳ１４に移行する。ステップＳ１４では、再生終了操作等に従って再生が終了したかが判断され、再生が終了した場合は（ステップＳ１４のＹｅｓ）ステップＳ１５に移行する。再生が終了していない場合は（ステップＳ１４のＮｏ）ステップＳ１４の処理が繰り返される。
【００８１】
ステップＳ１５では、ステップＳ１３で読み出したサムネイルファイルにおける再生回数カウンタＣｉを１だけインクリメントする演算（Ｃｉに１を加える演算）を施し、続くステップＳ１６にて、インクリメント後の再生回数カウンタＣｉの値にて、メモリカード１８内に記録された当該サムネイルファイル中の再生回数カウンタＣｉの値を更新記録する。
【００８２】
ステップＳ１６の処理を終えると、ステップＳ１７にてサムネイルファイルが閉じられ、続いてステップＳ１８にて本体ファイルが閉じられて、ステップＳ１に戻る。
【００８３】
メモリカード１８に多数の画像ファイル（本体ファイル）が記録されていても、ユーザが何度も再生しようとする画像ファイル（所望の画像ファイル）は特定の画像ファイルに限られていることが多い。上述のように、再生回数が多い本体ファイルに対応するサムネイル画像の表示順位を高くすれば、サムネイル画像表示モードに移行した際、その特定の画像ファイルに対応するサムネイル画像が高い表示順位で表示される。この結果、所望の画像ファイルの探索及び再生を素早く行うことができる。頻繁に再生する画像ファイルに至っては表示画面の切り替えを行うことなく直ちに見つけ出すことができ、ユーザにとって利便性が高い。
【００８４】
＜＜第２実施例＞＞
次に、第２実施例について説明する。図１１は、第２実施例に係る、サムネイル画像のソート動作に特に着目した撮像装置１の動作手順を表すフローチャートである。第２実施例では、本体ファイル（撮影画像データ）の最終再生日時に応じて、サムネイル画像がソートされる。
【００８５】
図１１に示す撮像装置１の動作手順は、複数のステップから構成され、ステップＳ１〜Ｓ４、Ｓ６、Ｓ１１〜Ｓ１４、Ｓ１７及びＳ１８を含む。それらは第１実施例に係る図９のステップＳ１〜Ｓ４、Ｓ６、Ｓ１１〜Ｓ１４、Ｓ１７及びＳ１８と同じであるため、それらに関する重複する説明を省略し、第１実施例との相違点に着目して説明を行う。
【００８６】
ところで、ＣＰＵ２３の内部または外部には、時間を計測するタイマ（不図示）が備えられており、該タイマの計測結果に基づいて、ＣＰＵ２３は現在日時（現在の日付と時刻）を逐次検出している。検出された現在日時を表すデータを現在日時データＣＴと表記する。現在日時データＣＴは時々刻々と変化する。
【００８７】
第２実施例では、ステップＳ４の処理を終えるとステップＳ２１に移行する。ステップＳ２１では、サムネイルファイルが生成されると共に撮影された動画または静止画に対応するサムネイル画像が生成され、生成されたサムネイル画像を表すサムネイル画像データはサムネイルファイルに格納される。
【００８８】
一方において、最終再生日時データＬｉを定義し、この最終再生日時データＬｉに現在日時データＣＴを代入する。最終再生日時データＬｉは、生成されたサムネイルファイルのヘッダ領域に格納される。ステップＳ２１にて生成されたサムネイルファイルは、ステップＳ４で生成された本体ファイルに関連付けられつつメモリカード１８に記録され、その後ステップＳ６に移行する。
【００８９】
ステップＳ４、Ｓ２１及びＳ６の処理は撮影が行われるごとに行われ、それらが１２回実行されて、上述のサムネイルファイルＦ１〜Ｆ１２が生成されたとする。この状態において、変数Ｎは１２となる。
【００９０】
最終再生日時データＬｉにおける添え字「ｉ」は、メモリカード１８に記録されているサムネイルファイルごとに与えられる連続番号である。異なるサムネイルファイル間において、対応する添え字「ｉ」の値は異なる。例えば、図１２に示す如く、サムネイルファイルＦｉに最終再生日時データＬｉが割り当てられる（ｉは、１〜１２の間の各整数をとる）。この場合、例えば、サムネイルファイルＦ１には最終再生日時データＬ１が割り当てられることになる。
【００９１】
後述する説明から明らかとなるが、最終再生日時データＬｉは、サムネイルファイルＦｉに対応する本体ファイルの最終再生日時、即ち、サムネイルファイルＦｉに対応する本体ファイルが最後に再生された日時を表すことになる。
【００９２】
第２実施例では、ステップＳ２において、動作モードがサムネイル画像表示モードであると判断された場合（ステップＳ２のＹｅｓ）、ステップＳ２２に移行する。
【００９３】
ステップＳ２から移行するステップＳ２２において、ソート手段として機能するＣＰＵ２３は、各サムネイルファイルに対応する最終再生日時データＬｉに従って、１２枚のサムネイル画像の表示順序をソートする。より具体的には、現在日時データＣＴによって表される現在日時に対して、最終再生日時データＬｉによって表される最終再生日時が近い順にサムネイル画像をソートし、それらを表示部２７の表示画面７０上に表示させる。つまり、最終再生日時と現在日時との差が比較的小さい本体ファイルに対応するサムネイル画像の表示順位を、その差が比較的大きいもののそれよりも高くする。
【００９４】
日時が未来方向に進行するにつれて最終再生日時データＬｉ及び現在日時データＣＴの値が増大すると仮定した場合、図６に示されるような基準状態においては、例えば、不等式：「ＣＴ＞Ｌ１＞Ｌ２＞Ｌ３＞Ｌ４＞Ｌ５＞Ｌ６＞Ｌ７＞Ｌ８＞Ｌ９＞Ｌ１０＞Ｌ１１＞Ｌ１２」が成立することになり、ＣＴとＬｉの差分値は、ｉが小さいほど小さくなる。
【００９５】
ステップＳ２２の処理を行うと、表示部２７の表示画面７０の表示状態は、図７に示すような一覧表示状態になり、ステップＳ１１に移行する。そして、ステップＳ１１において、所定の再生開始操作があった場合は（ステップＳ１１のＹｅｓ）ステップＳ１２に移行する一方、再生開始操作がなかった場合は（ステップＳ１１のＮｏ）ステップＳ２２に戻る。
【００９６】
ステップＳ１２及びＳ１３を介して移行するステップＳ１４において、再生が終了したかが判断され、再生が終了した場合は（ステップＳ１４のＹｅｓ）ステップＳ２３に移行し、再生が終了していない場合は（ステップＳ１４のＮｏ）ステップＳ１４の処理が繰り返される。
【００９７】
ステップＳ２３では、ステップＳ１３で読み出したサムネイルファイルにおける最終再生日時データＬｉに現在日時データＣＴを代入する演算を施し、続くステップＳ２４において、その代入演算後の最終再生日時データＬｉにて、メモリカード１８内に記録された当該サムネイルファイル中の最終再生日時データＬｉを更新記録する。
【００９８】
ステップＳ２４の処理を終えると、ステップＳ１７にてサムネイルファイルが閉じられ、続いてステップＳ１８にて本体ファイルが閉じられて、ステップＳ１に戻る。
【００９９】
メモリカード１８に多数の画像ファイル（本体ファイル）が記録されていても、ユーザが再生しようとする画像ファイル（所望の画像ファイル）は最近再生した特定の画像ファイルであることが多い。本実施例の如く最終再生日時に応じてソートを行えば、サムネイル画像表示モードに移行した際、その特定の画像ファイルに対応するサムネイル画像が高い表示順位で表示され、その特定の画像ファイルの探索及び再生を素早く行うことができる。ごく最近に再生したものであれば、画面の切り替えを行うことなく直ちに当該画像ファイルを見つけ出すことができ、ユーザにとって利便性が高い。
【０１００】
＜＜第３実施例＞＞
次に、第３実施例について説明する。図１３は、第３実施例に係る、サムネイル画像のソート動作に特に着目した撮像装置１の動作手順を表すフローチャートである。第３実施例では、本体ファイル（撮影画像データ）の地理的な作成位置に応じて、サムネイル画像がソートされる。
【０１０１】
図１３に示す撮像装置１の動作手順は、複数のステップから構成され、ステップＳ１〜Ｓ４、Ｓ６、Ｓ１１、Ｓ１２、Ｓ１４、及びＳ１８を含む。それらは第１実施例に係る図９のステップＳ１〜Ｓ４、Ｓ６、Ｓ１１、Ｓ１２、Ｓ１４、及びＳ１８と同じであるため、それらに関する重複する説明を省略し、第１実施例との相違点に着目して説明を行う。
【０１０２】
第３実施例における撮像装置１は、図１４に示す如く、撮像装置１の現在位置（現在地）を検出するための現在位置検出部５１の検出結果を利用する。現在位置検出部５１は、撮像装置１の内部または外部に備えられている、と考えることができる。撮像装置１がＰＨＳ（Personal Handyphone System）端末や携帯電話機等の移動体通信機器（不図示）に備えられている場合、撮像装置１は、当該移動体通信機器に備えられている現在位置検出部５１を利用することができる。
【０１０３】
現在位置検出部５１は、例えば、ＧＰＳ（Global Positioning System）を利用して撮像装置１の現在位置を検出する。この場合、現在位置検出部５１は、図１５に示す如く、ＧＰＳ衛星（不図示）から送られてくる電波を受信する受信部５２と、受信した電波に基づいて撮像装置１の現在位置を求める現在位置算出部５３と、を含んで構成される。現在位置算出部５３は、撮像装置１の現在位置の緯度及び経度を求める。この求められた緯度及び経度を、それぞれｘｃ及びｙｃと表記し、それらを併せて現在位置（ｘｃ，ｙｃ）と表記する。求められた現在位置（ｘｃ，ｙｃ）は、逐次ＣＰＵ２３に伝達される。
【０１０４】
第３実施例では、ステップＳ４の処理を終えるとステップＳ３１に移行する。ステップＳ３１では、サムネイルファイルが生成されると共に撮影された動画または静止画に対応するサムネイル画像が生成され、生成されたサムネイル画像を表すサムネイル画像データはサムネイルファイルに格納される。
【０１０５】
一方において、ファイル作成位置（ｘｉ，ｙｉ）を定義し、このファイル作成位置（ｘｉ，ｙｉ）に現在位置（ｘｃ，ｙｃ）を代入する。ファイル作成位置（ｘｉ，ｙｉ）は、本体ファイル及びサムネイルファイルの作成された位置を、緯度ｘｉと経度ｙｉによって表した情報である。ファイル作成位置（ｘｉ，ｙｉ）は、生成されたサムネイルファイルのヘッダ領域に格納される。ステップＳ３１にて生成されたサムネイルファイルは、ステップＳ４で生成された本体ファイルに関連付けられつつメモリカード１８に記録され、その後ステップＳ６に移行する。
【０１０６】
ステップＳ４、Ｓ３１及びＳ６の処理は撮影が行われるごとに行われ、それらが１２回実行されて、上述のサムネイルファイルＦ１〜Ｆ１２が生成されたとする。この状態において、変数Ｎは１２となる。
【０１０７】
ファイル作成位置（ｘｉ，ｙｉ）における添え字「ｉ」は、メモリカード１８に記録されているサムネイルファイルごとに与えられる連続番号である。異なるサムネイルファイル間において、対応する添え字「ｉ」の値は異なる。例えば、図１６に示す如く、サムネイルファイルＦｉにファイル作成位置（ｘｉ，ｙｉ）が割り当てられる（ｉは、１〜１２の間の各整数をとる）。この場合、例えば、サムネイルファイルＦ１にはファイル作成位置（ｘ１，ｙ１）が割り当てられることになる。
【０１０８】
このように、ファイル作成位置（ｘｉ，ｙｉ）は、サムネイルファイルＦｉに対応する本体ファイルが作成された位置（作成位置）を表すことになる。
【０１０９】
第３実施例では、ステップＳ２において、動作モードがサムネイル画像表示モードであると判断された場合（ステップＳ２のＹｅｓ）、ステップＳ３２に移行する。
【０１１０】
ステップＳ２から移行するステップＳ３２において、ソート手段として機能するＣＰＵ２３は、各サムネイルファイルに対応するファイル作成位置（ｘｉ，ｙｉ）に従って、１２枚のサムネイル画像の表示順序をソートする。より具体的には、現在位置（ｘｃ，ｙｃ）に対して、ファイル作成位置（ｘｉ，ｙｉ）が近い順にサムネイル画像をソートし、それらを表示部２７の表示画面７０上に表示させる。つまり、現在位置とファイル作成位置との差が比較的小さい本体ファイルに対応するサムネイル画像の表示順位を、その差が比較的大きいもののそれよりも高くする。
【０１１１】
現在位置（ｘｃ，ｙｃ）とファイル作成位置（ｘｉ，ｙｉ）との差は、例えば、地表面に沿った距離Ｄｉによって表され、その距離Ｄｉは、（ｘｃ，ｙｃ）及び（ｘｉ，ｙｉ）から特定可能である。図６に示されるような基準状態においては、例えば、不等式：「Ｄ１＜Ｄ２＜Ｄ３＜Ｄ４＜Ｄ５＜Ｄ６＜Ｄ７＜Ｄ８＜Ｄ９＜Ｄ１０＜Ｄ１１＜Ｄ１２」が成立することになる。距離Ｄｉが同じサムネイル画像間の表示順序は、更に他の情報を参照して決定する。例えば、本体ファイル（またはサムネイルファイル）の作成日時に従って、決定する。
【０１１２】
ステップＳ３２の処理を行うと、表示部２７の表示画面７０の表示状態は、図７に示すような一覧表示状態になり、ステップＳ１１に移行する。そして、ステップＳ１１において、所定の再生開始操作があった場合は（ステップＳ１１のＹｅｓ）ステップＳ１２に移行する一方、再生開始操作がなかった場合は（ステップＳ１１のＮｏ）ステップＳ３２に戻る。
【０１１３】
第３実施例では、ステップＳ１２にて本体ファイルを開いた後、サムネイルファイルを開くことなく、直接ステップＳ１４に移行する。そして、ステップＳ１４において、再生が終了したと判断された場合は（ステップＳ１４のＹｅｓ）ステップＳ１８に移行し、本体ファイルが閉じられてからステップＳ１に戻る。
【０１１４】
駅構内に掲げられている時刻表や駅周辺地図を撮像装置１にて撮影し、その撮影画像を参照して旅や出張時における移動スケジュールなどを決定する、といった撮像装置１の利用法も良く行われる（このような利用は、特に撮像装置１が移動体通信機器に備えられている場合に顕著に見受けられる）。本実施例の如くファイル作成位置に応じてソートを行えば、サムネイル画像表示モードに移行した際、必要な時刻表等を表した画像ファイルを直ちに見つけ出すことができ、ユーザにとって利便性が高い。
【０１１５】
尚、ＰＨＳ端末や携帯電話機等の移動体通信機器は、各地に配置された複数の基地局（不図示）の何れかとの電波のやり取りを介して、所望の通信を行う。そして、周知の如く、この種の移動体通信機器は、基地局との電波のやり取りから自身の現在位置（現在地）を或る程度の精度で検出する現在位置検出機能を備えている。従って、撮像装置１を携帯電話機等の移動体通信機器に設ける場合は、その現在位置検出機能を実現する部位を現在位置検出部５１として利用するようにしてもよい。
【０１１６】
＜＜変形等＞＞
上述の第１〜第３実施例は、矛盾なき限り、自由に組み合わせることができる。第１〜第３実施例の何れのソート手法を採用するかを、操作部２６を用いたユーザによる操作で自由に設定できるようにしても良い。
【０１１７】
また、上述の第１〜第３実施例にて説明したソート手法以外のソート手法として、以下のようなソート手法が考えられる。
【０１１８】
例えば、撮影した動画に含まれている動き量の最大値に基づいて、サムネイル画像をソートするようにしても良い。この手法は動画に対応するサムネイル画像に対してのみ、適用可能である。撮影した動画ごとに、動画を構成する各フレーム画像間の対比から画像内の動き量を求め、撮影した動画ごとに、その動き量の最大値を算出する。そして、動き量の最大値同士を比較し、例えば、動き量の最大値が大きい順にサムネイル画像をソートする。つまり、動き量の最大値が比較的大きい本体ファイルに対応するサムネイル画像の表示順位を、比較的小さいもののそれよりも高くする。
【０１１９】
また例えば、動画撮影中にマイク１４を介して入力された音声ピーク値（音声の強さの最大値）に基づいて、サムネイル画像をソートするようにしても良い。この手法も動画に対応するサムネイル画像に対してのみ、適用可能である。撮影した動画ごとに音声ピーク値を求め、音声ピーク値同士を比較する。そして例えば、音声ピーク値が大きい順にサムネイル画像をソートする。つまり、音声ピーク値が比較的大きい本体ファイルに対応するサムネイル画像の表示順位を、比較的小さいもののそれよりも高くする。
【０１２０】
また、ソートの基準となるパラメータ、即ち、第１実施例における再生回数カウンタＣｉ、第２実施例における最終再生日時データＬｉ、第３実施例におけるファイル作成位置（ｘｉ，ｙｉ）を、サムネイルファイルのヘッダ領域に格納する場合を上述したが、それらのパラメータを、サムネイルファイルのヘッダ領域ではなく、メモリカード１８内に設けられた専用データベース領域などに一括して記録するようにしてもよい。
【０１２１】
また、動画に対応するサムネイル画像と静止画に対応するサムネイル画像を区別なく一括してソートする手法を上述したが、動画に対応するサムネイル画像と静止画に対応するサムネイル画像とを区別し、夫々に対して、別個に上述の各ソート手法を適用しても構わない。また、上述の各ソート手法を、動画に対応するサムネイル画像に対してのみ、或いは、静止画に対応するサムネイル画像に対してのみ適用するようにしても構わない。
【０１２２】
また、動画に対応するサムネイル画像は動画（以下、サムネイル動画という）であっても構わない。撮影した動画に対応する音声信号に基づいてサムネイル音声を作成し、サムネイル動画を表示する際、そのサムネイル音声をスピーカ２８を介して同時に出力するようにしてもよい。尚、サムネイル画像が静止画である場合においても、上記サムネイル音声の出力は可能である。
【図面の簡単な説明】
【０１２３】
【図１】本発明の実施の形態に係る撮像装置の全体ブロック図である。
【図２】図１の撮像部の内部ブロック図である。
【図３】図１の映像信号処理部の内部ブロック図である。
【図４】図１のメモリカードに記録されるファイルを模式的に示した図である。
【図５】サムネイル画像表示モードにおける、図１の表示部の表示画面の領域分割例を示す図である。
【図６】図１の表示部に表示されるサムネイル画像の表示順位を説明するための図である。
【図７】サムネイル画像表示モードにおける、図１の表示部の表示画面の表示例を示す図である。
【図８】図７の表示画面から遷移しうる、再生表示画面を示す図である。
【図９】本発明の第１実施例に係る、図１の撮像装置の動作手順を表すフローチャートである。
【図１０】本発明の第１実施例に係るソート手法を説明するための図である。
【図１１】本発明の第２実施例に係る、図１の撮像装置の動作手順を表すフローチャートである。
【図１２】本発明の第２実施例に係るソート手法を説明するための図である。
【図１３】本発明の第３実施例に係る、図１の撮像装置の動作手順を表すフローチャートである。
【図１４】本発明の第３実施例に係る撮像装置の全体ブロック図である。
【図１５】図１４の現在位置検出部の内部ブロック図である。
【図１６】本発明の第３実施例に係るソート手法を説明するための図である。
【符号の説明】
【０１２４】
１  撮像装置
１１  撮像部
１２  ＡＦＥ
１３  映像信号処理部
１４  マイク
１５  音声信号処理部
１８  メモリカード
２３  ＣＰＵ
２６  操作部
２７  表示部
２８  スピーカ
２６ａ  録画ボタン
２６ｂ  シャッタボタン
２６ｃ  操作キー
４１  動画／静止画処理部
４２  サムネイル生成部
５１  現在位置検出部
【図１】
2007266664.tif 000003
【図２】
2007266664.tif 000004
【図３】
2007266664.tif 000005
【図４】
2007266664.tif 000006
【図５】
2007266664.tif 000007
【図６】
2007266664.tif 000008
【図９】
2007266664.tif 000009
【図１０】
2007266664.tif 000010
【図１１】
2007266664.tif 000011
【図１２】
2007266664.tif 000012
【図１３】
2007266664.tif 000013
【図１４】
2007266664.tif 000014
【図１５】
2007266664.tif 000015
【図１６】
2007266664.tif 000016
【図７】
2007266664.tif 000017
【図８】
2007266664.tif 000018